(57)【要約】【課題】食品を収容した状態で複数を積み重ねた際にも潰れ難く、且つ食品の収容性を損ない難い食品包装用容器を提供する。【解決手段】食品部分Ｆａと、食品部分Ｆａから突き出た串部分Ｆｂとを備えた串刺し食品Ｆを収容する食品包装用容器１０であって、串刺し食品Ｆを出し入れするための開口Ｍを有する容器本体１と、開口Ｍを閉じる蓋体２と、容器本体１に設けられ、容器本体１の内部を、食品部分を収容する食品収容凹部１４ａと串部分Ｆｂの少なくとも一部が収まる操作凹部１４ｂとを区画する仕切壁１５と、蓋体２に設けられ、開口Ｍを閉じた状態で仕切壁１５に向けて突出する蓋体突部２６と、仕切壁１５に設けられ、蓋体突部２６に当接して蓋体突部２６を支える本体受け部１６ａと、を備えている。【選択図】図１
0003228479.tif 000002
【実用新案登録請求の範囲】
【請求項１】
食品部分と、前記食品部分から突き出た串部分とを備えた串刺し食品を収容する食品包装用容器であって、
前記串刺し食品を出し入れするための開口を有する容器本体と、
前記開口を閉じる蓋体と、
前記容器本体に設けられ、前記容器本体の内部を、前記食品部分を収容する食品収容凹部と前記串部分の少なくとも一部が収まる操作凹部とを区画する仕切壁と、
前記蓋体に設けられ、前記開口を閉じた状態で前記仕切壁に向けて突出する蓋体突部と、
前記仕切壁に設けられ、前記蓋体突部に当接して前記蓋体突部を支える本体受け部と、を備えている食品包装用容器。
【請求項２】
前記本体受け部及び前記蓋体突部の一方に嵌合穴が設けられ、他方に前記嵌合穴に嵌合する先端部が設けられている、請求項１記載の食品包装用容器。
【請求項３】
前記先端部は、平面視で多角形状であり、
前記嵌合穴は、前記先端部に対応する多角形状である、請求項２記載の食品包装用容器。
【請求項４】
前記仕切壁は、前記食品収容凹部と前記操作凹部とを区画すると共に、前記串部分が載置される溝部が設けられた壁本体と、
前記壁本体から前記蓋体突部に向けて突出する本体突部と、を備え、
前記本体受け部は、前記本体突部に設けられている、請求項１〜３のいずれか一項記載の食品包装用容器。
【請求項５】
前記容器本体は、前記食品収容凹部を複数の小領域に区画する区画壁を備えており、
前記蓋体は、前記食品収容凹部に対面する内面を有し、
前記内面の少なくとも一部は平坦である請求項１〜４のいずれか一項記載の食品包装用容器。
【請求項６】
前記蓋体は、透明または半透明である、請求項５記載の食品包装用容器。
【請求項７】
前記容器本体及び前記蓋体の外周には、それぞれフランジが設けられ、
前記各フランジには、互いに嵌合して封止する嵌合部が設けられている、請求項１〜６のいずれか一項記載の食品包装用容器。
【請求項８】
前記蓋体を前記容器本体に対して開閉可能に接続するヒンジ部をさらに備えている、請求項１〜７のいずれか一項記載の食品包装用容器。
【考案の詳細な説明】
【技術分野】
【０００１】
本考案は、串刺し食品を包装する食品包装用容器に関する。
【背景技術】
【０００２】
串団子や焼鳥のような串刺し食品を包装する容器においては、容器から食品を取り出す際に手が汚れないように、食品に付けられた蜜やタレ類等（以下「タレ類」とのみ記載する）が串の持ち手に付着しない工夫が施されたものがある。
【０００３】
例えば、下記特許文献１記載の食品包装用容器では、底面と側壁とで囲まれている容器本体の収容凹部を、一組の対向する側壁間を連結するよう設けた仕切壁により、食品収容凹部と操作凹部とに分割し、仕切壁には複数の串支持部を形成している。この容器においては、串の持ち手を、前記串支持部を越えて操作凹部に突き出るよう串刺し食品を載置すれば、前記仕切壁の遮断効果により、串刺し食品に付けられたタレ類は、串の持ち手に付着し難くなっている。同食品包装用容器においては、さらに食品収容凹部に収容した隣同士の串刺し食品が接触しないよう、食品収容凹部には区画壁を設け、蓋体には前記区画壁に当接する突出壁を設け、容器本体を蓋体で封じた際には、区画壁の上面と突出壁の下面とを接触させるような構造としている。
【先行技術文献】
【特許文献】
【０００４】
【特許文献１】特開２０１４−１１８１８０号公報
【考案の概要】
【考案が解決しようとする課題】
【０００５】
この種の食品包装用容器としては、薄い合成樹脂シートを加熱して成形した容器が一般的に使用されるため、食品を収容した商品を段積みして陳列すると、上段からの荷重で下段に置かれた容器が潰れて変形する虞がある。これに対し、例えば、特許文献１に記載の食品包装用容器では、上段からの荷重を、区画壁と突出壁との当接によって対抗させることも可能であるが、少なくとも区画壁及び突出壁によって上段からの荷重に対抗させようとすると、区画壁と突出壁とが食品収容凹部内を占有する容積が大きくなってしまい、食品の収容性を損なう可能性があった。
【０００６】
本考案は、上記の課題を解決することを目的としており、食品を収容した状態で複数を積み重ねた際にも潰れ難く、且つ食品の収容性を損ない難い食品包装用容器を提供することを目的とする。
【課題を解決するための手段】
【０００７】
上記課題を解決するため、本考案は、食品部分と、食品部分から突き出た串部分とを備えた串刺し食品を収容する食品包装用容器であって、串刺し食品を出し入れするための開口を有する容器本体と、開口を閉じる蓋体と、容器本体に設けられ、容器本体の内部を、食品部分を収容する食品収容凹部と串部分の少なくとも一部が収まる操作凹部とを区画する仕切壁と、蓋体に設けられ、開口を閉じた状態で仕切壁に向けて突出する蓋体突部と、仕切壁に設けられ、蓋体突部に当接して蓋体突部を支える本体受け部と、を備えている。
【０００８】
上記の食品包装用容器は、串刺し食品の食品部分と串部分とを分けて収容するために食品収容凹部と操作凹部とを備えている。食品収容凹部と操作凹部とは仕切壁によって形成される。仕切壁には、蓋体突部に当接して上段からの荷重に対抗する本体受け部が設けられている。その結果、複数を積み重ねた際の形状安定性が向上し、食品包装用容器は潰れ難くなる。さらに、上段からの荷重に対抗する構成を仕切壁に設けているため、食品収容凹部内の構造を簡素化でき、収容性も向上する。
【０００９】
上記の食品包装用容器において、本体受け部及び蓋体突部の一方に嵌合穴が設けられ、他方に嵌合穴に嵌合する先端部が設けられていてもよい。嵌合穴に先端部が嵌合することで、蓋体が横滑りして当接状態が外れることを阻止できるようになる。
【００１０】
上記の食品包装用容器において、上記先端部は、平面視で多角形状であり、嵌合穴は、先端部に対応する多角形状であってもよい。嵌合穴と蓋体突部とは、多角形状同士で嵌合しているため、回転方向へのずれも抑えることができ、形状安定性が向上する。
【００１１】
上記の食品包装用容器において、仕切壁は、食品収容凹部と操作凹部とを区画すると共に、串部分が載置される溝部が設けられた壁本体と、壁本体から蓋体突部に向けて突出する本体突部と、を備え、本体受け部は、本体突部に設けられていてもよい。本体突部を設けることで、蓋体突部の高さ寸法を短くでき、その結果として小容積で蓋体突部を形成した場合にも、蓋体突部の強度を保ち易くなる。
【００１２】
上記の食品包装用容器において、容器本体は、食品収容凹部を複数の小領域に区画する区画壁を備えており、蓋体は、食品収容凹部に対面する内面を有し、その内面の少なくとも一部は平坦であってもよい。
【００１３】
上記の食品包装用容器において、容器本体及び蓋体の外周には、それぞれフランジが設けられ、各フランジには、互いに嵌合して封止する嵌合部が設けられていてもよい。嵌合部で封止することにより、容器本体に蓋体を安定して装着でき、さらに、食品部分にタレ等が付着していても、そのタレ等は漏れ出し難くなる。
【００１４】
上記の食品包装用容器において、蓋体を容器本体に対して開閉可能に接続するヒンジ部をさらに備えていてもよい。ヒンジ部を備えているので、蓋体が容器本体から離脱することなく、開閉操作も容易になる。
【考案の効果】
【００１５】
本考案により、串刺し食品を収容した状態で複数を積み重ねた際にも潰れ難く、且つ串刺し食品の収容性を損ない難い食品包装用容器を提供することができる。
【図面の簡単な説明】
【００１６】
【図１】本考案の一実施形態に係り、容器本体が開いた状態を示す食品包装用容器の斜視図である。
【図２】容器本体が蓋体によって閉じられている状態を示す食品包装用容器の平面図であり、一部を破断して示す図である。
【図３】容器本体が蓋体によって閉じられている状態を示す食品包装用容器の側面図である。
【図４】実施形態に係る食品包装用容器の一部を拡大して示す側断面図である。
【図５】図４のＶ−Ｖ線に沿った断面図である。
【考案を実施するための形態】
【００１７】
以下、本考案の一実施形態に係る食品包装用容器について図１〜図３を参酌しつつ説明する。なお、本考案の食品包装用容器はこの実施形態のみに限定されるものではない。図１は開いた状態の食品包装用容器を示す斜視図である。図２は閉じた状態の食品包装用容器の平面図であり、図３は側面図である。
【００１８】
本実施形態の食品包装用容器１０は、団子や焼き鳥などの串刺し食品Ｆを収容する容器である。串刺し食品Ｆは、食品を串に刺して手持ちで気軽に食べることができるように加工された食品であり、食品部分Ｆａと、食品部分Ｆａから突き出た串部分Ｆｂとを備えている、串刺し食品Ｆを食品包装用容器１０内に収める際、あるいは取り出す際には、串部分Ｆｂを把持して移動させる。食品包装用容器１０は、合成樹脂製のシートを用い、容器本体１と蓋体２とがヒンジ部３を介して結合した形状となるよう一体成形したものである。なお、本実施形態に係る食品包装用容器１０は、透明であるが、半透明であってもよい。
【００１９】
図１に示されるように、容器本体１の概略形状は、平面視矩形状である。容器本体１は、底面１１と、底面１１の周縁から立設する本体側壁１２と、本体側壁１２の端部（上端）の外周から外方に張り出すように設けられた本体フランジ１３とを備えている。本体フランジ１３には、本体側壁１２の端部（上端）から外側に向けて折り返されたような形状の本体嵌合部１３ａ（嵌合部の一例）が設けられている。本体嵌合部１３ａで囲まれた内側は、串刺し食品Ｆを出し入れするための開口Ｍである。
【００２０】
蓋体２の概略形状は、容器本体１の形状に対応した平面視矩形状である。蓋体２は、開口Ｍを覆う天面部２１と、天面部２１の周縁から立設する蓋体側壁２２と、天面部２１の端部（開いた状態の上端）の外周から外方に張り出すように設けられた蓋体フランジ２３とを備えている。蓋体フランジ２３には（図１参照）、蓋体側壁２２の端部から外方に張り出した後に上方に屈曲する蓋体嵌合部２３ａ（嵌合部の一例）が設けられている。
【００２１】
容器本体１を蓋体２で閉じた際に、本体フランジ１３の本体嵌合部１３ａと、蓋体フランジ２３の蓋体嵌合部２３ａとは、互いに嵌合して容器本体１の内部を封止する一対の嵌合構造を形成する。例えば、本実施形態は、蓋体嵌合部２３ａが本体嵌合部１３ａの外側に装着される外嵌合方式であるが、蓋体嵌合部２３ａが本体嵌合部１３ａの内側に装着される内嵌合方式であってもよい。なお、容器本体１と蓋体２との嵌合構造は、収納する串刺し食品Ｆの形態や使用目的に合わせて省略することもでき、また、内外嵌合方式の嵌合構造を採用することもできる。
【００２２】
蓋体２は、ヒンジ部３により容器本体１に対して開閉可能に接続されている。なお、ヒンジ部３を設けることなく、容器本体１と蓋体２とを離脱可能な独立体として形成することも可能である。ヒンジ部３は、本体フランジ１３の一部と、蓋体フランジ２３の一部とを接続している。具体的には、平面視矩形状の短辺同士を接続するようにヒンジ部３が設けられている。ヒンジ部３は、本体フランジ１３及び蓋体フランジ２３の各短辺方向に沿って延在する直線状の屈曲部３ａを備えており、屈曲部３ａは、断面視で湾曲形状を呈する。ヒンジ部３は、屈曲部３ａにおいて屈曲可能であり、したがって屈曲部３ａは、蓋体２を容器本体１に向けて傾動させる際の支点となる部分である。
【００２３】
食品包装用容器１０を使用する際は、容器本体１内に複数の串刺し食品Ｆを載置した後、図２、図３に示されるように蓋体２をヒンジ部３で１８０度折り返し、容器本体１に嵌合させて内容物（串刺し食品Ｆ）を包装する。
【００２４】
次に、容器本体１及び蓋体２についてさらに詳しく説明する。なお、図４は、食品包装用容器１０の側面（図３）の一部を拡大して示す断面図であり、図５は図４のＶ−Ｖ線に沿った断面図である。
【００２５】
上述の通り、容器本体１は本体側壁１２を備え、本体側壁１２は、ヒンジ部側本体側壁１２ａと、ヒンジ部側本体側壁１２ａの両端部から連続する右側本体側壁１２ｂ及び左側本体側壁１２ｃと、右側本体側壁１２ｂ及び左側本体側壁１２ｃから連続し、ヒンジ部側本体側壁１２ａと対向するように配置された前側本体側壁１２ｄとを備えている。
【００２６】
本体側壁１２で囲まれた内側（内方）には収容凹部１４が設けられている。容器本体１は右側本体側壁１２ｂと左側本体側壁１２ｃとを連結する仕切壁１５が設けられている。仕切壁１５は、収容凹部１４の中心よりも前側本体側壁１２ｄ寄りに設けられている。収容凹部１４は、仕切壁１５によって容積の広い食品収容凹部１４ａと容積の狭い操作凹部１４ｂとに区画されている。食品収容凹部１４ａには串刺し食品Ｆの食品部分Ｆａが収容され、操作凹部１４ｂには食品部分Ｆａから突き出た串部分Ｆｂの末端側の一部が収容される。
【００２７】
容器本体１は、食品収容凹部１４ａを複数の小領域に区画する一または複数の区画壁１７が設けられている。区画壁１７は、底面１１から立設され、仕切壁１５に直交する方向に延在する。区画壁１７によって区画された複数の小領域には、それぞれ串刺し食品Ｆの食品部分Ｆａが収容される。小領域は、収容予定の串刺し食品Ｆの個数に応じた数を設ける必要があり、区画壁１７は、必要な小領域を形成可能な数が設けられている。区画壁１７の高さは、仕切壁１５よりも低くなっている。
【００２８】
仕切壁１５は、食品収容凹部１４ａと操作凹部１４ｂとを区画する壁本体１５ｂ（図２参照）を備え、壁本体１５ｂには、串部分Ｆｂが載置される複数の串支持溝１５ａ（溝部）が設けられている。壁本体１５ｂは、本体側壁１２よりも低くなっている。また、仕切壁１５は、複数の串支持溝１５ａの間に配置された本体突部１６を備えている。本体突部１６は、底面１１から立設された四角錐台形状（多角錐台形状の一例）であり、壁本体１５ｂの上端の高さを超えて、さらに上方へ突出している。本体突部１６は、壁本体１５ｂに連続するように設けられているが、一体として壁本体１５ｂに連続する態様に限定されず、実質的に仕切壁１５の一部としての機能を発揮できればよい。
【００２９】
本体突部１６の先端（上端）は本体受け部１６ａであり、本体受け部１６ａには平面視で四角形状（多角形状の一例）の嵌合穴１６ｂが設けられている（図５参照）。なお、仕切壁１５には、本体突部１６を設けることなく、壁本体１５ｂの上端に本体受け部１６ａを設けてもよく、また、本体受け部１６ａに嵌合穴１６ｂを設けることなく平坦面にしてもよい。
【００３０】
上述の通り、蓋体２は、天面部２１を備えている。天面部２１は、蓋体２を閉じた状態において、容器本体１に対面する内面２１ａと、反対側の外面２１ｂとを備えている。天面部２１の内面２１ａの少なくとも一部は平坦であり、本実施形態では、食品収容凹部１４ａに対面する領域は平坦である。内面２１ａには、必要に応じてリブや装飾的に用いる凹凸等を設けることもできる。内面２１ａは、蓋体２を容器本体１に装着した状態において、直に串刺し食品Ｆに接触しないように設けることが好ましい。その結果、食品部分Ｆａのタレ等が内面２１ａに付着し難くなる。さらに、蓋体２が透明または半透明である場合に、蓋体２の内面２１ａにタレ等が付着し難くければ、店頭での陳列時における見栄えも良くなる。
【００３１】
天面部２１には、内面２１ａから突出する蓋体突部２６が設けられている。蓋体突部２６は、閉じた状態において、仕切壁１５に向けて突出しており、仕切壁１５の本体受け部１６ａに当接している。蓋体突部２６は四角錐台（多角錐台の一例）であり、先端部２６ａに向けて縮径している。先端部２６ａは、平面視で四角形状（多角形状の一例）であり、容器本体１の本体受け部１６ａに設けられた嵌合穴１６ｂに嵌合される。つまり、蓋体２をヒンジ部３で１８０度折り返して容器本体１に装着した際に、蓋体突部２６の先端部２６ａは下向きとなる。一方で、上向きに形成された本体突部１６は上向きに突出するように設けられている。その結果、蓋体突部２６の先端部２６ａは、本体突部１６の本体受け部１６ａに当接し、嵌合穴１６ｂに嵌合する。蓋体突部２６の先端部２６ａと本体突部１６の本体受け部１６ａとの当接により、柱状支持部Ｐが形成される。柱状支持部Ｐの形成により、天面部２１の外面２１ｂ側からの圧力に対抗する強度が増す。
【００３２】
蓋体突部２６は、単体、または複数を設けることができる。複数の蓋体突部２６を設ける場合、屈曲部３ａに平行な方向に並んで設けることができ、この場合、複数の蓋体突部２６から屈曲部３ａまでの距離は実質的に同じであってもよい。この場合、ヒンジ部３の屈曲部３ａを支点にして蓋体２が傾動して開口Ｍを閉じる際、一部の蓋体突部２６が本体受け部１６ａから浮いた状態になり難く、食品包装用容器１０の形状安定性の向上に有利になる。なお、複数の蓋体突部２６の代わりに連続した壁状の蓋体突部を設け、壁状の蓋体突部が仕切壁１５の本体受け部１６ａに当接する形態であってもよい。
【００３３】
次に食品包装用容器１０の製法等について説明する。食品包装用容器１０は、合成樹脂製シートからなり、公知のシート成形により形成されたものである。シート成形の方法としては例えば真空成形、圧空成形、真空圧空成形、両面真空成形、熱板成形等があり、何れにしても合成樹脂製シートを熱成形することにより形成される。食品包装用容器１０の素材である合成樹脂は、食品包装用容器１０内の内容物を目視で確認できるように、透明な合成樹脂を使用することが好ましい。透明な合成樹脂としては、ポリスチレン系、ポリエチレン系、ポリプロピレン系、ポリエステル系の合成樹脂を挙げることができる。
【００３４】
また、食品包装用容器１０に使用する合成樹脂シートは合成樹脂の分子が配向するよう延伸加工して製造された延伸シートであることが、成形された容器の機械的強度の面で好ましい。また延伸シートは、一軸延伸シートよりも二軸延伸シートの方が物性バランスに優れており、より好ましい。特にポリスチレン系樹脂の二軸延伸シートは、剛性、耐熱性、透明性、環境性、加工性においてバランスのとれた性能を有しており、容器の素材として適している。
【００３５】
次に、食品包装用容器１０の作用、効果について説明する。複数の串刺し食品Ｆを容器本体１内に収容する場合、食品部分Ｆａが食品収容凹部１４ａに並べ置かれ、串の末端側である串部分Ｆｂは操作凹部１４ｂに突き出るように串支持溝１５ａ上に載置される。その後、ヒンジ部３を支点として蓋体２を折り返すように傾動させ、容器本体１の開口Ｍを覆うようにして閉じ、さらに蓋体２を容器本体１に装着する。
【００３６】
串刺し食品Ｆの食品部分Ｆａに蜜やタレ類等が塗られていても、この蜜やタレ類等は仕切壁１５によって遮断されるので、操作凹部１４ｂ側への移動を規制される。その結果、串部分Ｆｂは汚れ難く、食品包装用容器１０から串刺し食品Ｆを取り出す際に手が汚れないようになっている。
【００３７】
また、串刺し食品Ｆを収容した食品包装用容器１０は、例えば、上下に積み重ねられて店頭に展示される。ここで、食品包装用容器１０の仕切壁１５には、蓋体突部２６に当接して上段からの荷重に対抗する本体受け部１６ａが設けられている。その結果、複数を積み重ねた際の形状安定性が向上し、食品包装用容器１０は潰れ難くなる。さらに上段からの荷重に対抗する構成を仕切壁１５に設けているため、食品収容凹部１４ａの内部容積を広げ易くなり、収容性も向上する。
【００３８】
また、本実施形態では、蓋体突部２６の先端部２６ａが本体受け部１６ａの嵌合穴１６ｂに嵌合する構造である。その結果、蓋体２が横滑りして当接状態が外れることを阻止できるようになり、より強固に一体化された柱状支持部Ｐが形成される。なお、柱状支持部Ｐを形成する上で、本体受け部１６ａに嵌合穴１６ｂを設けることは必須ではなく、平坦な本体受け部１６ａに蓋体突部２６の先端部２６ａが当接する構造であってもよい。また、逆に、蓋体突部２６に嵌合穴を設け、本体受け部１６ａの先端部が蓋体突部２６の嵌合穴に嵌合される構造であってもよい。どの形態を採用するかについては、食品包装用容器１０の目的や成形性などに合わせて適宜に決めることができる。
【００３９】
本実施形態に係る蓋体突部２６の先端部２６ａは、平面視で四角形状（多角形状の一例）であり、嵌合穴１６ｂは、先端部２６ａに対応する四角形状（多角形状の一例）である。嵌合穴１６ｂと蓋体突部２６とは、多角形状同士で嵌合しているため、回転方向へのずれも抑えることができ、形状安定性が向上する。
【００４０】
また、本実施形態に係る本体受け部１６ａは、壁本体１５ｂから蓋体突部２６に向けて突出する本体突部１６に設けられている。本体突部１６を設けることで、蓋体突部２６の高さ寸法を短くでき、その結果として小容積で蓋体突部２６を形成した場合にも、蓋体突部２６の強度を保ち易くなる。
【００４１】
また、本実施形態に係る容器本体１は、区画壁１７を備えており、複数の串刺し食品Ｆの食品部分Ｆａのそれぞれは、区画壁１７で区画された小領域に収められるので、互いに接触し難く、また、見栄えが良くなる。
【００４２】
また、蓋体２の内面２１ａの少なくとも一部は平坦である。内面２１ａは、蓋体２を容器本体１に装着した状態において、直に串刺し食品Ｆに接触しないように設けることが望ましく、その結果、食品部分Ｆａのタレ等が内面２１ａに付着し難くなる。さらに、本実施形態に係る食品包装用容器１０は透明または半透明であり、したがって蓋体２も透明または半透明である。蓋体２が透明または半透明である場合に、蓋体２の内面２１ａにタレ等が付着していなければ店頭での陳列時における見栄えも良くなる。なお、食品包装用容器１０は、蓋体２のみが透明であったり、または半透明であったりしてもよく、さらに使用用途等によっては不透明であってもよい。
【００４３】
また、本実施形態に係る食品包装用容器１０は本体フランジ１３と蓋体フランジ２３とを備えている。本体フランジ１３には本体嵌合部１３ａが設けられており、蓋体フランジ２３には蓋体嵌合部２３ａが設けられている。本体嵌合部１３ａと蓋体嵌合部２３ａとは互いに嵌合して嵌合構造を形成し、食品包装用容器１０の内部を封止する。本体嵌合部１３ａ及び蓋体嵌合部２３ａが嵌合して食品包装用容器１０の内部を封止することにより、容器本体１に蓋体２を安定して装着でき、さらに、食品部分Ｆａにタレ等が付着していても、そのタレ等は漏れ出し難くなる。
【実施例】
【００４４】
厚さ０．２１ｍｍの二軸延伸されたポリスチレンシートを熱板成形することにより本実施形態に対応する食品包装用容器を得た。この食品包装用容器の場合、串団子（串刺し食品）を３本入れた食品包装用容器を三段積み重ねても最下段の容器はほとんど潰れることがなかった。一方、本体突部及び蓋体突部を設けてない食品包装用容器の場合、串団子を３本入れた容器を２段積み重ねた状態であっても下段の容器の天面部は凹み、天面部の一部が串団子に接触してしまった。その結果、天面部の内側に団子の蜜が付着したため見栄えが悪くなり、商品価値が低下した。
【符号の説明】
【００４５】
１…容器本体、２…蓋体、３…ヒンジ部、３ａ…屈曲部、１０…食品包装用容器、１１…底面、１２…本体側壁、１３…本体フランジ、１３ａ…本体嵌合部、１４ａ…食品収容凹部、１４ｂ…操作凹部、１５…仕切壁、１５ａ…串支持溝（溝部）、１６…本体突部、１６ａ…本体受け部、１６ｂ…嵌合穴、１７…区画壁、２１…天面部、２１ａ…内面、２１ｂ…外面、２２…蓋体側壁、２３…蓋体フランジ、２３ａ…蓋体嵌合部、２６…蓋体突部、２６ａ…先端部、Ｆ…串刺し食品、Ｆａ…食品部分、Ｆｂ…串部分、Ｍ…開口。
【図１】
0003228479.tif 000003
【図２】
0003228479.tif 000004
【図３】
0003228479.tif 000005
【図４】
0003228479.tif 000006
【図５】
0003228479.tif 000007